(57)【要約】      （修正有）【課題】安全性と連続使用の安定性が高い三本式プランジャーポンプの冷却潤滑構造を提供する。【解決手段】ポンプ本体内に設けられたプランジャーロッド１１と、それに穿設された漏れ防止部材１２と、ポンプ本体１０の末端に連結された出水台座２０とによって構成する。出水台座の一側には、プランジャー孔が設けられ、プランジャー孔内の底端には入水室２２が連結され、入水室は、弁台座の中段の入水孔３１と連通し、弁台座３０の細い口径の出水端面は、分離弁板に当接するとともに、出水室２３と相互に連通する。各プランジャー孔の出水端は、斜めに設けられた水流誘導孔を介して出水室に連結され、出水室は外側に通じる出水口２６に連通し、出水台座の各プランジャー孔の中央には水流誘導管２７が設けられる。水流誘導管の一端は入水室と連通し、他端には、連通孔２８が設けられる。弁台座は階段状を呈し、水流誘導管は出水台座に貫通されない。【選択図】図６
0003167972.tif 000002
【実用新案登録請求の範囲】
【請求項１】
ポンプ本体内に設けられた往復動作を行うプランジャーロッドと、プランジャーロッドに穿設された漏れ防止部材と、ポンプ本体の末端に連結された出水台座とによって構成する三本式プランジャーポンプの冷却潤滑構造であって、
出水台座の一側には、プランジャーロッドが差し込まれるとともに等間隔且つ環状に配列されたプランジャー孔が設けられ、プランジャー孔内の底端には入水室が連結され、入水室は、弁台座の中段の入水孔と連通し、弁台座の細い口径の出水端面は、出水台座内に設けられた分離弁板に当接するとともに、分離弁板に設けられた穿孔を介して出水室と相互に連通し、分離弁板の出水側の環状に設けられた各プランジャー孔の出水端は、斜めに設けられた水流誘導孔を介して出水室に連結され、出水室は外側に通じる出水口に連通し、
出水台座の各プランジャー孔の中央には水流誘導管が設けられ、水流誘導管の一端は入水室と連通し、プランジャー孔の末端位置、即ち、プランジャーロッドと漏れ防止部材が取り付けられた位置に近接した箇所である水流誘導管の他端には、各プランジャー孔に斜めに連結される連通孔が設けられることを特徴とする、三本式プランジャーポンプの冷却潤滑構造。
【請求項２】
前記弁台座は階段状を呈することを特徴とする、請求項１に記載の三本式プランジャーポンプの冷却潤滑構造。
【請求項３】
前記水流誘導管は前記出水台座に貫通されていないことを特徴とする、請求項１に記載の三本式プランジャーポンプの冷却潤滑構造。
【考案の詳細な説明】
【技術分野】
【０００１】
本考案は三本式プランジャーポンプの冷却潤滑構造に関し、特に、漏れ防止部材とプランジャーロッド間の冷却潤滑の補助を行うことができるとともに、複数のプランジャーロッドを往復操作した時の安全性と連続使用の安定性が高い三本式プランジャーポンプの冷却潤滑構造に関する。
【背景技術】
【０００２】
従来の二本式のプランジャーポンプの構造については、台湾特許第４０８５６３号「プランジャーロッドの往復動作の際の漏れ防止構造の改良」において、出水台座によって水を回流させて冷却補助を行う方法が開示されている。しかしながら、三本のプランジャーロッドが配列された高圧ポンプを使用する場合、プランジャーロッドは等間隔且つ環状に配列されるため、水流誘導管を設けるのが容易ではないことに加え、出水台座の型の製造が難しく組み立てもしにくいことにより、製造に高い技術が必要で製造コストも高くなり、さらに安全性と連続使用する際の安定性にも問題がある。従って、従来の三本式のプランジャーポンプの構造は改良の余地と必要性があり、入水、出水の制御構造をより安定且つ簡略化させなければならない。
【先行技術文献】
【特許文献】
【０００３】
【特許文献１】台湾特許第４０８５６３号明細書
【考案の概要】
【考案が解決しようとする課題】
【０００４】
そこで、本考案は、漏れ防止部材とプランジャーロッド間の冷却潤滑の補助を行うことができるとともに、安全性と連続使用の安定性が高い三本式プランジャーポンプの冷却潤滑構造を提供することを目的とする。
【課題を解決するための手段】
【０００５】
本考案による三本式プランジャーポンプの冷却潤滑構造は、ポンプ本体内に設けられた往復動作を行うプランジャーロッドと、プランジャーロッドに穿設された漏れ防止部材と、ポンプ本体の末端に連結された出水台座とによって構成する。出水台座の一側には、プランジャーロッドが差し込まれるとともに等間隔且つ環状に配列されたプランジャー孔が設けられ、プランジャー孔内の底端には入水室が連結され、入水室は、弁台座の中段の入水孔と連通し、弁台座の細い口径の出水端面は、出水台座内に設けられた分離弁板に当接するとともに、分離弁板に設けられた穿孔を介して出水室と相互に連通する。分離弁板の出水側の環状に設けられた各プランジャー孔の出水端は、斜めに設けられた水流誘導孔を介して出水室に連結され、出水室は外側に通じる出水口に連通し、
出水台座の各プランジャー孔の中央には水流誘導管が設けられる。水流誘導管の一端は入水室と連通し、プランジャー孔の末端位置、即ち、プランジャーロッドと漏れ防止部材が取り付けられた位置に近接した箇所である水流誘導管の他端には、各プランジャー孔に斜めに連結される連通孔が設けられる。前記弁台座は階段状を呈し、前記水流誘導管は前記出水台座に貫通されていない。
【図面の簡単な説明】
【０００６】
【図１】本考案の出水台座の構造の外観を示す斜視図である。
【図２】本考案の出水台座の入水側の構造を示す断面図である。
【図３】本考案の出水台座の出水側の構造を示す断面図である。
【図４】本考案を組み立てた状態を示した断面図である。
【図５】本考案の出水操作部分を示した平面図である。
【図６】本考案の出水した時の出水台座を示した拡大図である。
【図７】本考案が元に戻り入水操作を行う時の状態を示した説明図である。
【考案を実施するための形態】
【０００７】
本考案による三本式プランジャーポンプの冷却潤滑構造は、三本のプランジャーロッドを往復運動させて加圧し入水と出水を行うプランジャーポンプ内部の、プランジャーロッドと漏れ防止部材の冷卻潤滑構造を改良設計したものである。本考案の構造については、図１から図７を参照する。本考案による三本式プランジャーポンプの冷却潤滑構造は、ポンプ本体１０と、ポンプ本体内部に配列された往復運動する複数のプランジャーロッド１１とを備え、ポンプ本体１０末端には出水台座２０が連結され、出水台座２０内部の各プランジャーロッド１１に対応する位置には、プランジャーロッド１１を差し込むためのプランジャー孔２１が設けられ、往復操作をする際に誘導する役割を果たす。また、プランジャー孔２１の末端には、階段状を呈する出水弁台座３０が設けられ、出水弁台座３０は、入水孔３１と出水孔３２、及び、入水弁片３３と出水弁片３４を備える。出水弁台座３０中段の入水孔３１と入水室２２は相互に連通し、弁台座３０の細い口径の末端の出水端は、出水台座２０内に設けられた分離弁板２４に当接し、分離弁板２４の板面には、出水室２３に連通する穿孔が設けられる。また、出水台座２０の下縁に環状に設けられたプランジャー孔２１の出水端は、斜めに設けられた水流誘導孔２５を介して、出水室２３に連結され、それにより、水は出水室２３まで流れるようになり、そこに加圧された水が溜まり、図３に示すように、加圧された後の水は、出水口２６から外に排出され使用される。また、出水台座２０内の各プランジャー孔２１が延伸した末端には、大きな中空入水室２２が設けられ、中空入水室２２は弁台座３０の太い口径の一端と連通する。次に、弁台座３０の入水、出水の構造に関して説明を行う。弁台座の太い口径の端面の外周には、入水孔３１が等間隔且つ環状に設けられ、中央には大きな出水孔３２が設けられ、弁台座３０とプランジャーロッド１１の末端の間には、入水孔３１の孔口の開閉を制御する入水弁片３３が設けられ、入水弁片３３の中央には、出水孔３２に対応する貫通孔が設けられ、プランジャーロッド１１を押しだした時、圧力がかかった入水弁片３３によって入水孔の孔口は閉じ、水が中央の貫通孔から出水孔３２に流入し出水弁片３４を開き、液体は出水室２３まで流入する。また、各プランジャー孔２１の中央には、出水台座２０に貫通されていない水流誘導管２７が設けられ、水流誘導管２７の一端は入水室２２に連結され、水流誘導管２７の他端は、プランジャー孔２１の末端位置、即ち、プランジャーロッド１１と漏れ防止部材１２が取り付けられた位置に近接し、その他端には、各プランジャー孔２１に斜めに差し込まれる連通孔２８が設けられる。連通孔２８は、入水室２２の低温の水をプランジャー孔２１内に流入させ、往復動作をするプランジャーロッド１１と漏れ防止部材１２の冷却を補助する役割を果たし、プランジャーロッド１１を押して出水の操作を行った際には、冷却水は連通孔２８から回流して入水室２２に進入する。以上のように、冷却水はプランジャーロッド１１を押しだす往復の動作に従って入水、出水を繰り返すため、本考案は、ポンプを操作する際の安全性と連続使用の安定性が高い。
【０００８】
本考案の出水台座２０の構造の主な特徴について説明を行う。本考案の出水台座２０は、環状に設けられた複数のプランジャーロッド１１の入水、出水を行うことができる。出水台座２０の内部には、プランジャーロッド１１の配列に従って、プランジャー孔２１が設けられ、出水台座２０の末端は、分離弁板２４によって入水室２２と出水室２３を形成し、出水室２３に連通し且つ斜めに設けられた各水流誘導孔２５は各プランジャー孔２１の出水口に連結される。それにより、各プランジャーロッド１１の往復運動により押しだされた水は出水室２３に集まり、出水口２６から送り出される。また、分離弁板２４の他側の入水室２２は各プランジャー孔２１の末端と連通し、出水台座２０の中央には、入水室２２に連通する水流誘導管２７が設けられ、水流誘導管２７は、プランジャー孔の末端位置に近接し、各プランジャー孔に斜めに連通孔２８を設けて連通させることにより、入水室２２の水はプランジャー孔２１内に流入する。それにより、プランジャー孔２１内に取り付けられたプランジャーロッド１１と漏れ防止部材１２に対して、適切な冷却と潤滑補助を行うことができ、プランジャーロッド１１を往復させ吸引加圧出力操作を行う際に、その吸入過程では、進入した水が入水孔３１を介して貯水室２９に送られると、入水弁片３３が自動で開き、この時冷却水は水流誘導管２７を通じて漏れ防止部材１２とプランジャーロッド１１の外周面に行きわたり、プランジャーロッド１１の加圧過程では、入水弁片３３によって入水孔３１の口部が閉じ、弾性部材３５の圧力により、水が進入するのを確実に密封し、同時に、加圧の力によって出水弁片３４が開き、出水の操作が行われる。また、水流誘導管２７の冷却水は、上記の加圧の影響を受けて、自然に適度な外側への水流が形成され、冷却水は往復循環し、それにより、冷却潤滑操作の安全な実用性が確保される。以上のように、本考案は、ポンプを安全且つ安定して連続使用することができる。
【符号の説明】
【０００９】
１０    ポンプ本体  
１１    プランジャーロッド
１２    漏れ防止部材                    
２０    出水台座            
２１    プランジャー孔
２２    入水室            
２３    出水室
２４    弁板              
２５    水流誘導孔
２６    出水口            
２７    水流誘導管
２８    連通孔            
２９    貯水室
３０    弁台座              
３１    入水孔
３２    出水孔            
３３    入水弁片
３４    出水弁片          
３５    弾性部材
【図１】
0003167972.tif 000003
【図２】
0003167972.tif 000004
【図３】
0003167972.tif 000005
【図４】
0003167972.tif 000006
【図５】
0003167972.tif 000007
【図６】
0003167972.tif 000008
【図７】
0003167972.tif 000009